(57)【要約】【課題】スライド方向に操作用の空きスペースを必要としないで、引出し体の筐体からの脱落を防止できるスライドレールを得る。【解決手段】スライドレール１０の固定レール１６に設けられたストッパー２６のストッパーケース２８にストッパー本体３０が支持されており、ストッパー本体３０はスライドレール１０のスライド方向と交差する上下方向へ移動可能に支持されている。このため、スライドレール１０のスライド方向にストッパー本体３０の操作用の空きスペースを必要としない。また、ストッパー本体３０が上方にある場合には、縦壁部３０Ａが引出レール１８の延設部１８Ｄの移動軌跡上の当接位置となっており、ストッパー本体３０が引出レール１８の引出し方向への移動を止めることで、キャビネット１２から引出し１４が脱落するのを防止できる。【選択図】図１
2011172830.tif 000002
【特許請求の範囲】
【請求項１】
引出し体に取り付ける少なくとも１本の引出レールと、前記引出し体が収納される筐体に取り付けられ前記引出レールをスライド可能に支持する固定レールと、を有するスライドレールであって、
前記引出レールと前記固定レールとの何れか一方に設けられた当接部と、
前記引出レールと前記固定レールとの何れか他方に固定されるストッパーケースと、該ストッパーケースに前記スライド方向と交差する方向へ移動可能に支持され、前記当接部の移動軌跡上の当接位置と前記当接部の移動軌跡上から外れる退避位置とへ移動可能なストッパー本体と、を備えたストッパーと、
を含んで構成されたスライドレール。
【請求項２】
前記ストッパーは前記ストッパー本体を前記退避位置から前記当接位置へ向かって付勢する付勢手段を有する請求項１に記載のスライドレール。
【請求項３】
前記当接部は前記引出レールと前記固定レールとの何れか一方の一部を延設した延設部である請求項１または請求項２に記載のスライドレール。
【請求項４】
前記当接部のスライド方向反対側には、前記ストッパー本体を前記当接位置から前記退避位置へ移動させる傾斜部が形成されている請求項１〜３の何れか１請に記載のスライドレール。
【請求項５】
前記引出レールに前記当接部が設けられ、前記固定レールに前記ストッパーが固定された請求項１〜４の何れか１請に記載のスライドレール。
【発明の詳細な説明】
【技術分野】
【０００１】
本発明は、引出し体を筐体に対して出し入れするためのスライドレールに関するものである。
【背景技術】
【０００２】
従来、引出し体を筐体に対して出し入れするためのスライドレールにおいては、引出し体の筐体からの脱落や不測の飛び出しを防止する構成が知られている。例えば、特許文献１では、ラック等の筐体に固定される固定レールに対し摺動自在に配設された移動レールに保持された移動レール保持部材を備えたスライドレールにおいて、移動レール保持部材は弾性的に変移する係止部を有し、固定レールには移動レールが固定レールに対し最も収納された位置で前記係止部と係止する被係止部が形成されている。また、移動レール保持部材には、係止部と被係止部が係止した状態で、係止部と被係止部の係止状態を解除させる操作突部が形成されている。
【先行技術文献】
【特許文献】
【０００３】
【特許文献１】特許第３６５８１９０８号
【発明の概要】
【発明が解決しようとする課題】
【０００４】
しかしながら、この先行技術では、移動側レール保持部材の一部である操作突部が、固定側レールの前方に突出している。即ち、操作突部がスライドレールにおける端末からスライド方向（長手方向）へ突出している。このため、スライドレールのスライド方向に操作用の空きスペースを確保する必要があった。この結果、スライドレールのスライド方向に操作用の空きスペースを確保できない部位には、このスライドレールを使用することができなかった。
【０００５】
本発明は上記事実を考慮し、スライド方向に操作用空きスペースを必要としないで、引出し体の筐体からの脱落を防止できるスライドレールを提供することを課題とする。
【課題を解決するための手段】
【０００６】
請求項１に記載の本発明は、引出し体に取り付ける少なくとも１本の引出レールと、前記引出し体が収納される筐体に取り付けられ前記引出レールをスライド可能に支持する固定レールと、を有するスライドレールであって、前記引出レールと前記固定レールとの何れか一方に設けられた当接部と、前記引出レールと前記固定レールとの何れか他方に固定されるストッパーケースと、該ストッパーケースに前記スライド方向と交差する方向へ移動可能に支持され、前記当接部の移動軌跡上の当接位置と前記当接部の移動軌跡上から外れる退避位置とへ移動可能なストッパー本体と、を備えたストッパーと、を含んで構成されている。
【０００７】
請求項１に記載のスライドレールでは、引出レールと固定レールとの何れか一方に設けられたストッパーのストッパーケースにストッパー本体が、スライド方向と交差する方向へ移動可能に支持されている。また、ストッパー本体はスライド方向と交差する方向へ移動することで、引出レールと固定レールとの何れか他方に設けられた当接部の移動軌跡上の当接位置と当接部の移動軌跡上から外れる退避位置とへ移動可能となっている。このため、ストッパー本体を退避位置から当接位置へ移動することで、引出し体の筐体からの脱落を防止できると共に、ストッパー本体を当接位置から退避位置へ移動することで、ロックが解除され引出し体を筐体から取り外せる。このように、ストッパー本体の操作方向（移動方向）が、スライドレールのスライド方向と交差する方向となるため、スライドレールのスライド方向にストッパー本体の操作用の空きスペースを必要としない。
【０００８】
請求項２に記載の発明は、請求項１に記載のスライドレールにおいて、前記ストッパーは前記ストッパー本体を前記退避位置から前記当接位置へ向かって付勢する付勢手段を有する。
【０００９】
請求項２に記載の発明では、ストッパーが有する付勢手段によって、ストッパー本体が退避位置から当接位置へ向かって付勢されている。このため、付勢手段によって、ストッパー本体を退避位置から当接位置に戻すことができるので、ストッパー本体が退避位置のままになるのを防止できる。
【００１０】
請求項３に記載の発明は、請求項１または２に記載のスライドレールにおいて、前記当接部は前記引出レールと前記固定レールとの何れか一方の一部を延設した延設部である。
【００１１】
請求項３に記載の発明では、引出レールと固定レールとの何れか一方の一部を延設した延設部を当接部とするため、当接部を別部材として組り付ける構成に比べて、部品点数を少なくできる。
【００１２】
請求項４に記載の発明は、請求項１〜３の何れか１項に記載のスライドレールにおいて、前記当接部のスライド方向反対側には、前記ストッパー本体を前記当接位置から前記退避位置へ移動させる傾斜部が形成されている。
【００１３】
請求項４に記載の発明では、引出レールを固定レールに組付ける際に、当接部のスライド方向反対側に形成された傾斜部によって、ストッパー本体を当接位置から退避位置へ移動させることができる。このため、引出レールを固定レールに容易に組付けることができる。
【００１４】
請求項５に記載の発明は、請求項１〜４の何れか１項に記載のスライドレールにおいて、前記引出レールに前記当接部が設けられ、前記固定レールに前記ストッパーが固定されている。
【００１５】
請求項５に記載の発明では、固定レールに設けられたストッパーのストッパーケースにストッパー本体が、スライド方向と交差する方向へ移動可能に支持されている。また、ストッパー本体はスライド方向と交差する方向へ移動することで、引出レールに設けられた当接部の移動軌跡上の当接位置と当接部の移動軌跡上から外れる退避位置とへ移動可能となっている。このため、ストッパー本体を退避位置から当接位置へ移動することで、引出し体の筐体からの脱落を防止できると共に、ストッパー本体を当接位置から退避位置へ移動することで、ロックが解除され引出し体を筐体から取り外せる。このように、ストッパー本体の操作方向（移動方向）が、スライドレールのスライド方向と交差する方向となるため、スライドレールのスライド方向にストッパー本体の操作用の空きスペースを必要としない。
【発明の効果】
【００１６】
請求項１に記載のスライドレールは、上記構成としたので、スライド方向に操作用の空きスペースを必要としないで、引出し体の筐体からの脱落を防止できる。
【００１７】
請求項２に記載のスライドレールは、ストッパー本体が退避位置のままになるのを防止できる。
【００１８】
請求項３に記載のスライドレールは、部品点数を少なくできる。
【００１９】
請求項４に記載のスライドレールは、引出レールを固定レールに容易に組付けることができる。
【００２０】
請求項５に記載のスライドレールは、スライド方向に操作用の空きスペースを必要としないで、引出し体の筐体からの脱落を防止できる。
【図面の簡単な説明】
【００２１】
【図１】本発明の一実施形態に係るスライドレールを示す一部を断面とした斜視図である。
【図２】本発明の一実施形態に係るスライドレールの固定レールの一部を示す分解斜視図である。
【図３】本発明の一実施形態に係るスライドレールの引出レールを示す斜視図である。
【図４】本発明の一実施形態に係るスライドレールのストッパーを示す斜視図である。
【図５】図４の５−５断面線に沿った断面図である。
【図６】本発明の一実施形態に係るスライドレールのストッパーを示す斜視図である。
【図７】図６の７−７断面線に沿った断面図である。
【図８】本発明の一実施形態に係るスライドレールのストッパーを示す分解斜視図である。
【図９】図１０の９−９断面線に沿った拡大断面図である。
【図１０】本発明の一実施形態に係るスライドレールが適用された引出し体と筐体の一部を示す斜視図である。
【発明を実施するための形態】
【００２２】
本発明の一実施形態に係るスライドレールについて説明する。
図１０に示すスライドレール１０は、例えば、筐体の一例としてのキャビネット１２に引出し体の一例としての引出し１４を取り付けるために用いられる。まず、このスライドレール１０の構成について説明する。なお、説明の便宜上、図で示す矢印ＵＰをスライドレール１０の上方向、矢印ＦＲをスライドレール１０の引出し方向として説明する。
【００２３】
（スライドレールの構成）
図１０に示すように、スライドレール１０は、キャビネット１２の本体内側面１２Ａに取り付けられる固定レール１６と、引出し１４の本体外側面１４Ａに取り付けられる引出レール１８とを備えている。
【００２４】
図９に示すように、引出レール１８は回転自在な複数個のコロを有するコロホルダー２０を介して固定レール１６に取り付けられている。
【００２５】
より具体的に説明すると、固定レール１６のスライド方向（長手方向）から見た断面形状は、開口部を側方へ向けたコ字状となっており、縦壁部１６Ａの上端から横方向へ伸びる上壁部１６Ｂと縦壁部１６Ａの下端から横方向へ伸びる下壁部１６Ｃとを備えている。また、上壁部１６Ｂの先端からは下方へ向かって上フランジ１６Ｄが形成されており、下壁部１６Ｃの先端からは上方へ向かって下フランジ１６Ｅが形成されている。
【００２６】
一方、引出レール１８の上端部のスライド方向（長手方向）から見た断面形状は、開口部を下方へ向けたコ字状となっており、上壁部１８Ａの一端から下方へ伸びる縦壁部１８Ｂと、上壁部１８Ａの他端から下方へ伸びる上フランジ１８Ｃとを備えている。
【００２７】
コロホルダー２０のコロ２０Ａは、固定レール１６の上壁部１６Ｂと引出レール１８の上壁部１８Ａとに当接しており、コロホルダー２０のコロ２０Ｂは、固定レール１６の下壁部１６Ｃと引出レール１８の上壁部１８Ａとに当接している。また、コロホルダー２０のコロ２０Ｃは、固定レール１６の下フランジ１６Ｅと引出レール１８の上フランジ１８Ｃとに当接しており、コロホルダー２０のコロ２０Ｄは固定レール１６の縦壁部１６Ａと引出レール１８の上フランジ１８Ｃとに当接している。
【００２８】
従って、固定レール１６は引出レール１８を長手方向（図１０の矢印Ａ方向と矢印Ｂ方向）へスライド可能に支持している。このため、引出し１４はキャビネット１２に対して引出し方向（図１０の矢印Ａ方向）と収納方向（図１０の矢印Ｂ方向）とへ移動可能となっている。
【００２９】
図３に示すように、引出レール１８の上フランジ１８Ｃにおける収納方向（図３の矢印Ｂ方向）の端部には、当接部の一例としての延設部１８Ｄが形成されている。
【００３０】
図１に示すように、引出レール１８の延設部１８Ｄは、上フランジ１８Ｃを下方へ向かって延設することで形成されており、上フランジ１８Ｃにおける延設部１８Ｄを設けた部位の上下幅Ｈ１は、上フランジ１８Ｃの他の部位の上下幅Ｈ２に比べて大きくなっている。なお、延設部１８Ｄにおける引出し方向（図１の矢印Ａ方向）側の端部１８Ｅは鉛直下方に伸びており、端部１８Ｅのスライド方向反対側となる延設部１８Ｄにおける収納方向（図１の矢印Ｂ方向）側の端部は収納方向に向かって上方へ傾斜した傾斜部１８Ｆとなっている。
【００３１】
図１０に示すように、固定レール１６のスライド方向における引出し方向側の端部１６Ｆには、ストッパー２６が設けられている。
【００３２】
（ストッパーの構成）
【００３３】
図２に示すように、ストッパー２６はストッパーケース２８とストッパー本体３０とを備えている。ストッパーケース２８は取付部材の一例としての螺子３２によって、固定レール１６のスライド方向における引出し方向側の端部１６Ｆに固定されている。
【００３４】
より具体的に説明すると、ストッパーケース２８は、固定レール１６の断面と略同じ大きさとされ、固定レール１６の端部１６Ｆに当接する本体部３５と、この本体部３５から突出し、固定レール１６の内周部に挿入される挿入部３６とを備えている。また、ストッパーケース２８の挿入部３６の上壁部３６Ａには螺子孔３８が形成されており、この螺子孔３８に固定レール１６の上壁部１６Ｂに形成された取付け孔４０に挿入された螺子３２が螺合している。また、挿入部３６の下壁部３６Ｂには突起４２が形成されており、この突起４２が固定レール１６の下壁部１６Ｃに形成された取付け孔４４に挿入されている。
【００３５】
ストッパー本体３０はストッパーケース２８に下方側から挿入されており、スライドレール１０のスライド方向（図２の矢印Ａ、Ｂ方向）と交差する方向の一例としての上方向（図２の矢印Ｃ方向）と下方向（図２の矢印Ｂ方向）へ移動可能に支持されている。また、ストッパーケース２８の内部には、付勢手段の一例としてのコイルスプリング５０が設けられており、コイルスプリング５０はストッパー本体３０を上方（図２の矢印Ｃ方向）へ向かって付勢している。
【００３６】
図８に示すように、ストッパーケース２８には、一方の側壁部２８Ａから側方に伸び下方へ屈曲したＬ字の切欠５４が形成されており、図６に示すように、この切欠５４を引出レール１８の上壁部１８Ａと上フランジ１８Ｃとが通過可能となっている。
【００３７】
図５に示すように、ストッパーケース２８には、下壁部２８Ｂから後壁部２８Ｃに達するストッパー本体挿入部５６が形成されている。また、ストッパー本体挿入部５６にはストッパー本体３０の縦壁部３０Ａが挿入されており、ストッパー本体３０の縦壁部３０Ａの下端には取っ手部３０Ｂが形成されている。この取っ手部３０Ｂは引出レール１８の引出し方向（図５の矢印Ａ方向）に向って延設されており、ストッパーケース２８における本体部３５の下端３５Ａの下方に達している。
【００３８】
図８に示すように、ストッパー本体３０の縦壁部３０Ａの幅方向略中央には上端３０Ｃから下方に向かってスリット６０が形成されている。
【００３９】
図６に示すように、ストッパーケース２８にストッパー本体３０をセットした状態で、ストッパー本体３０のスリット６０は、ストッパーケース２８の切欠５４の縦片部５４Ａと重なっており、ストッパー本体３０のスリット６０とストッパーケース２８の切欠５４とを引出レール１８の上フランジ１８Ｃが通過可能となっている。
【００４０】
図８に示すように、ストッパー本体３０の縦壁部３０Ａにおける引出レール１８の収納方向側の面３０Ｅには、スリット６０に沿ってコイルスプリング５０を保持するためのスプリング保持部６２が突出形成されている。
【００４１】
図５に示すように、ストッパー本体３０のスプリング保持部６２の上端部６２Ａには、コイルスプリング５０の上端部５０Ａを保持するための係合部６２Ｂが下方へ向って突出しており、この係合部６２Ｂがコイルスプリング５０の上端部５０Ａに挿入されている。また、コイルスプリング５０の下端部５０Ｂはストッパーケース２８の下壁部２８Ｂの上面２８Ｄに当接している。
【００４２】
従って、ストッパー本体３０はコイルスプリング５０によって、上方（図５の矢印Ｃ方向）へ付勢されており、ストッパー本体３０の上面３０Ｄが、ストッパーケース２８のストッパー本体挿入部５６の上面５６Ａに当接している。また、この状態では、図４に示すように、ストッパー本体３０のスリット６０が、ストッパーケース２８の切欠５４の縦片部５４Ａに対して上方へ移動している。このため、ストッパー本体３０の縦壁部３０Ａが引出レール１８の延設部１８Ｄの移動軌跡上の当接位置となっている。この結果、引出レール１８が引出し方向（図４の矢印Ａ方向）へ移動した際に、引出レール１８の延設部１８Ｄの端部１８Ｅがストッパー本体３０の縦壁部３０Ａに当接し、引出レール１８の引出し方向（図４の矢印Ａ方向）への移動を止めるようになっている。
【００４３】
一方、図６に示すように、ストッパー本体３０の取っ手３０Ｂを作業者が摘み、ストッパー本体３０をコイルスプリング５０の付勢力に抗して下方（図６の矢印Ｄ方向）へ移動させた場合には、図７に示すように、ストッパー本体３０はコイルスプリング５０が圧縮された位置で停止する。この位置では、図６に示すように、ストッパー本体３０のスリット６０が、ストッパーケース２８の切欠５４の縦片部５４Ａに対して下方へ移動している。このため、ストッパー本体３０の縦壁部３０Ａが引出レール１８の延設部１８Ｄの移動軌跡上から外れる退避位置となる。この結果、引出レール１８が引出し方向（図６の矢印Ａ方向）へ移動した際に、引出レール１８の延設部１８Ｄの端部１８Ｅがストッパー本体３０の縦壁部３０Ａに当たることがなく、引出レール１８を引出し方向（図４の矢印Ａ方向）へさらに移動させることができるようになっている。
【００４４】
なお、ストッパー本体３０の取っ手３０Ｂを作業者が離した場合には、コイルスプリング５０の付勢力によって、ストッパー本体３０は上方へ移動し、図４に示す当接位置に戻るようになっている。
【００４５】
従って、ストッパー本体３０の移動方向（操作方向）が、スライドレール１０のスライド方向（前後方向）と交差する上下方向となるため、スライドレール１０のスライド方向に、ストッパー本体３０を操作するための操作用の空きスペースを必要としない構成となっている。
【００４６】
また、延設部１８Ｄにおける収納方向（図１の矢印Ｂ方向）側の端部が、収納方向に向かって上方へ傾斜した傾斜部１８Ｆとなっているため、引出レール１８を固定レール１６に組付ける際に、傾斜部１８Ｆによって、ストッパー本体３０を当接位置から退避位置へ移動させることができるようになっている。
【００４７】
次に、本実施形態に係るスライドレールの作用と効果について説明する。
本実施形態では、スライドレール１０の固定レール１６に設けられたストッパー２６のストッパーケース２８にストッパー本体３０が支持されており、ストッパー本体３０はスライドレール１０のスライド方向と交差する上下方向へ移動可能に支持されている。このため、ストッパー本体３０はスライドレール１０のスライド方向と交差する上方向へ移動することで、図１、図４、図５に示すように引出レール１８に設けられた当接部の一例としての延設部１８Ｄの移動軌跡上の当接位置へ移動する。また、ストッパー本体３０はスライドレール１０のスライド方向と交差する下方向へ移動することで、図６、図７に示すように、延設部１８Ｄの移動軌跡上から外れる退避位置とへ移動する。
【００４８】
また、ストッパー２６が有する付勢手段の一例としてのコイルスプリング５０によって、ストッパー本体３０は退避位置から当接位置へ向かって付勢されている。このため、当接位置では、ストッパー本体３０のスリット６０が、ストッパーケース２８の切欠５４の縦片部５４Ａに対して上方へ移動している。この結果、ストッパー本体３０の縦壁部３０Ａが引出レール１８の延設部１８Ｄの移動軌跡上となっている。従って、引出レール１８が引出し方向（図４の矢印Ａ方向）へ移動した際に、引出レール１８の延設部１８Ｄの端部１８Ｅがストッパー本体３０の縦壁部３０Ａに当接し、引出レール１８の引出し方向（図４の矢印Ａ方向）への移動を止める。このため、筐体の一例としてのキャビネット１２から引出し体の一例としての引出し１４が脱落するのを防止できる。
【００４９】
一方、ストッパー本体３０の取っ手３０Ｂを作業者が摘み、ストッパー本体３０をコイルスプリング５０の付勢力に抗して下方（図６の矢印Ｄ方向）へ移動させた場合には、ストッパー本体３０のスリット６０が、ストッパーケース２８の切欠５４の縦片部５４Ａに対して下方へ移動する。このため、ストッパー本体３０の縦壁部３０Ａが引出レール１８の延設部１８Ｄの移動軌跡上から外れる退避位置となる。この結果、引出レール１８が引出し方向（図６の矢印Ａ方向）へ移動した際に、引出レール１８の延設部１８Ｄの端部１８Ｅがストッパー本体３０の縦壁部３０Ａに当たることがなく、引出レール１８を引出し方向（図４の矢印Ａ方向）へさらに移動させることができる。従って、筐体の一例としてのキャビネット１２から引出し体の一例としての引出し１４を取外すことができる。
【００５０】
このように、本実施形態では、ストッパー本体３０の移動方向（操作方向）が、スライドレール１０のスライド方向（前後方向）と交差する上下方向となるため、スライドレール１０のスライド方向に、ストッパー本体３０の操作用の空きスペースを必要としない。この結果、スライドレール１０の取付け位置の自由度が向上する。
【００５１】
また、本実施形態では、引出レール１８の延設部１８Ｄにおける収納方向（図１の矢印Ｂ方向）側の端部が、収納方向に向かって上方へ傾斜した傾斜部１８Ｆとなっている。このため、引出レール１８を固定レール１６に組付ける際に、傾斜部１８Ｆによって、ストッパー本体３０を当接位置から退避位置へ移動させることができる。この結果、引出レール１８を固定レール１６に容易に組付けることができる。
【００５２】
また、本実施形態では、ストッパー本体３０の取っ手３０Ｂを作業者が離した場合には、コイルスプリング５０の付勢力によって、ストッパー本体３０は上方へ移動し、図４に示す当接位置に戻る。このため、ストッパー本体３０が退避位置のままになるのを防止できる。
【００５３】
また、本実施形態では、図３に示すように、引出レール１８の上フランジ１８Ｃにおける収納方向（図３の矢印Ｂ方向）の端部を下方に延設して当接部の一例としての延設部１８Ｄとしている。このため、当接部を別部材として引出レール１８に組付ける構成に比べて、部品点数を少なくできる。
【００５４】
（その他の実施形態）
以上に於いては、本発明を特定の実施形態について詳細に説明したが、本発明は上記実施形態に限定されるものではなく、本発明の範囲内にて他の種々の実施形態が可能であることは当業者にとって明らかである。例えば、上記実施形態では、引出レール１８の上フランジ１８Ｃにおける収納方向の端部を下方に延設して当接部の一例としての延設部１８Ｄとしたが、これに代えて、当接部をストッパーピン等の別部材として、引出レール１８に組付ける構成としてもよい。
【００５５】
また、上記実施形態では、付勢手段の一例としてのコイルスプリング５０を使用したが、コイルスプリング５０に代えて、板ばね、ゴム、樹脂等の他の付勢手段を使用してもよい。
【００５６】
また、上記実施形態のスライドレール１０は、固定レール１６と１本の引出レール１８との２本のレールを備えた構成であるが、本発明は、引出し体に直接固定される第１レールと、この第１レールと固定レールとの間に介在する中間レール（第２レール、第３レール等）とを有し、引出レール（固定レールに対してスライドする全てのレールを意味する）が複数本とされたスライドレールにも適用可能である。
【００５７】
また、上記実施形態のスライドレール１０では、固定レール１６にストッパー２６を設け、引出レール１８に当接部の一例としての延設部１８Ｄを形成したが、これに代えて、引出レール１８にストッパー２６を設け、固定レール１６に当接部の一例としての延設部１８Ｄを形成した構成としてもよい。
【００５８】
また、上記実施形態のスライドレール１０では、ストッパー本体３０の移動方向（操作方向）を、スライドレール１０のスライド方向と交差する上下方向としたが、ストッパー本体３０の移動方向（操作方向）は、スライドレール１０のスライド方向と交差する方向であれば横方向（左右方向）等の他の方向でもよい。
【００５９】
また、本発明のスライドレールはキャビネット１２以外のキッチン等の筐体に、引出し１４以外の収納箱等の引出し体を取り付けるためにも使用可能である。
【符号の説明】
【００６０】
１０    スライドレール
１２    キャビネット（筐体）
１４    引出し（引出し体）
１６    固定レール
１８    引出レール
１８Ｄ    延設部（当接部）
１８Ｆ    傾斜部
２６    ストッパー
２８    ストッパーケース
３０    ストッパー本体
３５    ストッパーケースの本体部
３６    ストッパーケースの挿入部
５０    コイルスプリング（付勢手段）
【図１】
2011172830.tif 000003
【図２】
2011172830.tif 000004
【図３】
2011172830.tif 000005
【図４】
2011172830.tif 000006
【図５】
2011172830.tif 000007
【図６】
2011172830.tif 000008
【図７】
2011172830.tif 000009
【図８】
2011172830.tif 000010
【図９】
2011172830.tif 000011
【図１０】
2011172830.tif 000012